(57)【特許請求の範囲】
【請求項１】
側溝構造体であって、
基礎コンクリートと、
前記基礎コンクリートのほぼ全面の上に据え付けられ、少なくとも背面方向から土圧力が作用する後壁部と、前記後壁部とほぼ平行で且つ所定距離だけ前方側に位置する前壁部と、前記後壁部及び前記前壁部の各々の下端を接続する下面部とを含む側溝部と、
ほぼ上下方向に延びると共に両端部が開放された筒状体よりなる枠体と、
前記枠体を前記後壁部の中間部分に固定する固定手段と、
前記筒状体の内部に充填された裏込め材とを備え、
前記枠体は、前記背面方向から前記後壁部に前記土圧力を作用させる滑り土塊の滑り面を越えて、前記背面方向に延びる、側溝構造体。
【請求項２】
前記筒状体は、各々がほぼ上下方向に開放される複数のセルを形成するように、内部が仕切られた、請求項１記載の側溝構造体。
【請求項３】
前記枠体は、帯状で且つ可撓性を有する複数のシート体を重ね合わせた構造からなり、隣り合う前記シート体同士は長手方向に対して所定間隔毎に接合され、且つ、前記複数のシート体の各々は、その一方の面で隣接するシート体とその他方の面で隣接するシート体とは前記長手方向において互い違いとなる位置で接合され、前記複数のシート体の最外側の２枚を水平に引き離すことにより、蜂の巣状に前記筒状体の前記複数のセルが形成される、請求項２記載の側溝構造体。
【請求項４】
前記筒状体を構成する側壁及び仕切りのための仕切壁の各々には、少なくとも１つの孔が形成された、請求項２又は請求項３記載の側溝構造体。
【請求項５】
前記側壁及び前記仕切壁は、表面に凹凸加工が施された、請求項４記載の側溝構造体。
【請求項６】
前記固定手段は、前記枠体を前記後壁部に着脱可能に固定する、請求項１から請求項５のいずれかに記載の側溝構造体。
【請求項７】
壁面構造体であって、
基礎コンクリートと、
前記基礎コンクリートのほぼ全面の上に据え付けられ、  ほぼ上下方向に延び、少なくとも背面方向から土圧力が作用する壁面体と、
ほぼ上下方向に延びると共に両端部が開放された筒状体よりなる枠体と、
前記枠体を前記壁面体の背面部の中間部分に固定する固定手段と、
前記筒状体の内部に充填された裏込め材とを備え、
前記枠体は、前記背面方向から前記壁面体の前記背面部に前記土圧力を作用させる滑り土塊の滑り面を越えて、前記背面方向に延びる、壁面構造体。
【請求項８】
前記筒状体は、各々がほぼ上下方向に開放される複数のセルを形成するように、内部が仕切られた、請求項７記載の側溝構造体。
【請求項９】
前記固定手段は、前記枠体を前記背面部に着脱可能に固定する、請求項７又は請求項８のいずれかに記載の壁面構造体。
【発明の詳細な説明】
【技術分野】
【０００１】
この発明は、側溝構造体及び壁面構造体に関し、特に、背面に構造物があって掘削できない場所、背面が急斜面で過大な掘削が必要とされる場所、また、前方に境界等の関係で広い底板幅が確保できない場所等に設置するための側溝構造体及び壁面構造体に関するものである。
【背景技術】
【０００２】
従来は、側溝の一方の側面に土圧が加わる場合、その土圧の加わる側に延びる底板を設けて、この底板に載る土砂等から鉛直下向きの土圧を得ることによって、側溝の自立安定性を向上させていた。
【０００３】
図９は、従来の可変側溝構造体を示した斜視図である。
【０００４】
図を参照して、基礎材６７及び基礎コンクリート６６の上には、可変側溝６１が据え付けられると共に、可変側溝６１の後壁部６３の下端には、水平に広がる底板６５が一体に形成されている。また、可変側溝６１の前壁部６２及び後壁部６３の下端は、インバートコンクリート６４により一体化形成されている。一般に、このような可変側溝に底板を加えた可変側溝構造体は土留可変側溝と呼ばれている。
【０００５】
図１０は、図９の可変側溝構造体におけるＸ−Ｘラインの断面図と土圧との関係を示した図である。
【０００６】
図を参照して、可変側溝６１の背面方向に裏込め砕石６９ａ、６９ｂが埋め戻された状態が示されている。ここで、底板６５の背面方向の端部から鉛直上方に延びる仮想背面７１と後壁部６３とで構成される空間に埋め戻された、底板６５の上に位置する裏込め砕石６９ａから受ける土圧７２ｂは、可変側溝構造体の自重として作用するため、裏込め砕石６９ａは可変側溝構造体と一体として扱われる。一方、仮想背面７１と、試行くさび法により算定された滑り面７０とで構成される空間に位置する裏込め砕石６９ｂは、滑り土塊として可変側溝構造体に作用する。この滑り土塊の土圧に基づく水平方向成分の土圧７２ａは、支点７３を中心として可変側溝６１を前方へ転倒させる力として作用している。しかし、一方で、裏込め砕石６９ａから得られる鉛直下向きの土圧７２ｂが底板６５に加わっている。これにより、可変側溝６１を前方へ転倒させる土圧７２ａに反する力が底板６５に働くこととなり、可変側溝６１の自立安定性が向上する。
【０００７】
図１１は、図９の可変側溝構造体の設置工程断面図である。
【０００８】
図を参照して、工程（１）では、可変側溝構造体を設置する土地が掘削線７４ａから掘削線７４ｂの範囲で床掘りされた後に、基礎材６７及び基礎コンクリート６６が設置され、この基礎コンクリート６６の上に可変側溝６１が据え付けられる。そして、インバートコンクリート６４と底板６５とは、可変側溝６１が基礎コンクリート６６上に据え付けられた後に、現場打ちコンクリート作業により、前壁部６２及び後壁部６３と一体に形成される。次に、工程（２）にて、可変側溝６１の前壁部６２側が埋め戻されると共に、後壁部６３側の一部が埋め戻され、更に、工程（３）にて、後壁部６３側が完全に埋め戻される。この方法によれば、底板６５を現場打ちコンクリートにより形成するため、可変側溝６１の搬送は容易になる。
【０００９】
また、図１２は、従来の他の可変側溝構造体を示した図であり、図１０に対応する側面部分断面図である。
【００１０】
図を参照して、土留可変側溝７６は、後壁７７の下端にインサート８０が埋設されており、このインサート８０に対して、底板７８がボルト７９により組み付けられている。このように、設置前は底板７８が分離でき、設置時にボルト７９により簡単に組み付けられる構造となっていることにより、図９に示した可変側溝構造体のような、底板６５を形成するための現場打ちコンクリート作業が不要となり、施工期間が短くて済むという利点がある。また、底板７８は本体から分離できるので、搬送が容易になるという利点も併せ持つ。尚、この可変側溝構造体に関しては、特許文献１に記載がある。
【特許文献１】実開平１−１２４８９０号公報
【発明の開示】
【発明が解決しようとする課題】
【００１１】
しかしながら、上記の図９に示した従来の可変側溝６１は、搬送が容易ではあるが現場打ちコンクリート作業による底板６５の形成が必要であり、施工期間が長くなる。また、このように底板が背面方向に延びた構造に対しては、掘削量が多くなってしまう。
【００１２】
一方、図１２に示した土留可変側溝７６は、底板７８を組み付ける構成になっているため、現場打ちコンクリート作業を行う必要がなく、施工期間を短くすることができ、また、底板７８を分離することができるので、施工現場までの搬送は容易になるが、図９の可変側溝６１と同様に、底板７８が背面方向に延びているため、掘削量が多くなってしまう。
【００１３】
このような問題は側溝構造体に限らず、擁壁、水路等を構成する、ほぼ垂直方向に延びる壁面体の設置においても同様の問題を生じる。
【００１４】
この発明は、上記のような問題を解決するためになされたもので、搬送が容易であり、施工期間を短くすることができ、更に、掘削量を低減することができる側溝構造体及び壁面構造体を提供することを目的とする。
【課題を解決するための手段】
【００１５】
上記の目的を達成するために、請求項１記載の発明は、側溝構造体であって、基礎コンクリートと、基礎コンクリートのほぼ全面の上に据え付けられ、少なくとも背面方向から土圧力が作用する後壁部と、後壁部とほぼ平行で且つ所定距離だけ前方側に位置する前壁部と、後壁部及び前壁部の各々の下端を接続する下面部とを含む側溝部と、ほぼ上下方向に延びると共に両端部が開放された筒状体よりなる枠体と、枠体を後壁部の中間部分に固定する固定手段と、筒状体の内部に充填された裏込め材とを備え、枠体は、背面方向から後壁部に土圧力を作用させる滑り土塊の滑り面を越えて、背面方向に延びるものである。
【００１６】
このように構成すると、枠体内に充填された裏込め材の重量が、側溝部の後壁部に固定手段を介して下向きに加わる。又、基礎コンクリートの布設範囲がコンパクトになる。更に、滑り面よりも背面方向に位置する埋め戻しの砕石等から、側溝部の転倒時に枠体が引き抜かれる際に摩擦抵抗を受ける。
【００１９】
請求項２記載の発明は、請求項１記載の発明の構成において、筒状体は、各々がほぼ上下方向に開放される複数のセルを形成するように、内部が仕切られたものである。
【００２０】
このように構成すると、筒状体と裏込め材との接触面積が、内部を仕切るために設けられた壁に相当する分だけ増加する。
【００２１】
請求項３記載の発明は、請求項２記載の発明の構成において、枠体は、帯状で且つ可撓性を有する複数のシート体を重ね合わせた構造からなり、隣り合う前記シート体同士は長手方向に対して所定間隔毎に接合され、且つ、前記複数のシート体の各々は、その一方の面で隣接するシート体とその他方の面で隣接するシート体とは長手方向において互い違いとなる位置で接合され、複数のシート体の最外側の２枚を水平に引き離すことにより、蜂の巣状に前記筒状体の複数のセルが形成されるものである。
【００２２】
このように構成すると、裏込め材が充填されていない状態の枠体が帯状に変形可能となる。
【００２３】
請求項４記載の発明は、請求項２又は請求項３記載の発明の構成において、筒状体を構成する側壁及び仕切りのための仕切壁の各々には、少なくとも１つの孔が形成されたものである。
【００２４】
このように構成すると、筒状体の側壁又は仕切りのための内部の壁に形成された孔において、裏込め材と側壁及び内部の壁との噛合せが生じる。
【００２５】
請求項５記載の発明は、請求項４記載の発明の構成において、側壁及び仕切壁は、表面に凹凸加工が施されたものである。
【００２６】
このように構成すると、凹凸加工が施された筒状体の表面と裏込め材との間の接触抵抗が増加する。
【００２７】
請求項６記載の発明は、請求項１から請求項５のいずれかに記載の発明の構成において、固定手段は、枠体を後壁部に着脱可能に固定するものである。
【００２８】
このように構成すると、側溝部と枠体とが分離自在となる。
【００２９】
請求項７記載の発明は、壁面構造体であって、基礎コンクリートと、基礎コンクリートのほぼ全面の上に据え付けられ、ほぼ上下方向に延び、少なくとも背面方向から土圧力が作用する壁面体と、ほぼ上下方向に延びると共に両端部が開放された筒状体よりなる枠体と、枠体を壁面体の背面部の中間部分に固定する固定手段と、筒状体の内部に充填された裏込め材とを備え、枠体は、背面方向から壁面体の背面部に土圧力を作用させる滑り土塊の滑り面を越えて、背面方向に延びるものである。
【００３０】
このように構成すると、枠体内に充填された裏込め材の重量が、壁面体の背面部に固定手段を介して下向きに加わる。又、基礎コンクリートの布設範囲がコンパクトになる。更に、滑り面よりも背面方向に位置する埋め戻しの砕石等から、側溝部の転倒時に枠体が引き抜かれる際に摩擦抵抗を受ける。
【００３３】
請求項８記載の発明は、請求項６又は請求項７記載の発明の構成において、筒状体は、各々がほぼ上下方向に開放される複数のセルを形成するように、内部が仕切られたものである。
【００３４】
このように構成すると、筒状体と裏込め材との接触面積が、内部を仕切るために設けられた壁に相当する分だけ増加する。
【００３５】
請求項９記載の発明は、請求項７又は請求項８のいずれかに記載の発明の構成において、固定手段は、枠体を背面部に着脱可能に固定するものである。
【００３６】
このように構成すると、壁面体と枠体とが分離自在となる。
【発明の効果】
【００３７】
以上説明したように、請求項１記載の発明は、裏込め材により枠体に加わった自重が、前方向へ側溝部を転倒させる力に反して働くので、底板を形成することなく、側溝部の自立安定性が向上する。又、基礎コンクリートの布設範囲がコンパクトになるので、基礎コンクリートの布設のための掘削量が抑えられる。更に、滑り土塊より背面側の埋め戻し砕石等から枠体が受ける引き抜き抵抗が、前方向へ側溝部を転倒させない力として働き、側溝部の自立安定性が向上する。
【００３９】
請求項２記載の発明は、請求項１記載の発明の効果に加えて、枠体の占める領域が広範囲になっても、一定の範囲に対する筒状体と裏込め材との間の接触面積は一定の値が確保されるので、裏込め材の充填状態がより安定する。
【００４０】
請求項３記載の発明は、請求項２記載の発明の効果に加えて、裏込め材が充填されていない枠体を帯状に畳んだりすることができるので、搬送が容易となる。
【００４１】
請求項４記載の発明は、請求項２又は請求項３記載の発明の効果に加えて、筒状体の側壁及び内部を仕切る壁の少なくとも一箇所に形成された孔に裏込め材が入り込むことにより、筒状体の側壁及び内部の壁と裏込め材との噛合せが生じるため、筒状体と裏込め材との間の一体性が向上する。
【００４２】
請求項５記載の発明は、請求項４記載の発明の効果に加えて、凹凸加工による筒状体の表面と裏込め材との間の接触抵抗が増すことにより、筒状体と裏込め材との間の一体性が更に向上する。
【００４３】
請求項６記載の発明は、請求項１から請求項５のいずれかに記載の発明の効果に加えて、必要に応じて側溝部に対する枠体の着脱が可能であり、また、サイズ等の異なる枠体に付け替えて、加わる自重の大きさ及び引き抜き抵抗を自由に調節することが可能となるため使い勝手が向上する。
【００４４】
請求項７記載の発明は、裏込め材により枠体に加わった自重が、前方向へ壁面体を転倒させる力に反して働くので、壁面体の自立安定性が向上する。又、基礎コンクリートの布設範囲がコンパクトになるので、基礎コンクリートの布設のための掘削量が抑えられる。更に、滑り土塊より背面側の埋め戻し砕石等から枠体が受ける引き抜き抵抗が、前方向へ壁面体を転倒させない力として働き、壁面体の自立安定性が向上する。
【００４６】
請求項８記載の発明は、請求項７記載の発明の効果に加えて、枠体の占める領域が広範囲になっても、一定の範囲に対する筒状体と裏込め材との間の接触面積は一定の値が確保されるので、裏込め材の充填状態がより安定する。
【００４７】
請求項９記載の発明は、請求項７又は請求項８のいずれかに記載の発明の効果に加えて、必要に応じて壁面体に対する枠体の着脱が可能であり、また、サイズ等の異なる枠体に付け替えて、加わる自重の大きさ及び引き抜き抵抗を自由に調節することが可能となるため使い勝手が向上する。
【発明を実施するための最良の形態】
【００４８】
図１は、この発明の第１の実施の形態による可変側溝構造体を背面側から見た斜視図であり、図２は図１の可変側溝構造体の枠構造を示した図であり、図３は図１のＩＩＩ−ＩＩＩラインから見た平面図であり、図４は図１のＩＶ−ＩＶラインの断面図である。
【００４９】
これらの図を参照して、可変側溝１０（側溝部）は、後壁部１２とこれに平行で且つ所定距離だけ前方に位置する前壁部１１の各々の下端がインバートコンクリート１３（下面部）により接続され、基礎材１５の上に形成された基礎コンクリート１４の上に据え付けられている。可変側溝１０の後壁部１２には、あらかじめインサート２２が所定間隔で、水平方向に上下２列で埋設されており、これらのうち、下側のインサート２２ｂに対して、Ｌ型棒１７が、折り曲げられた一端を上方に向けるように取り付けられている。そして、この上方に向けられたＬ型棒１７に、可変側溝１０側に面した１つのセルの側壁４８を引っ掛けるように枠１６（枠体）が取り付けられ、枠１６から上部に突き出たＬ型棒１７の上端には、枠１６の抜けを防止するために、横に並ぶＬ型棒１７の２本を１組として、抜け防止プレート２０が上方から組み付けられている。ここで、この抜け防止プレート２０の両端の穴から突出した、Ｌ型棒１７のねじ切り加工端は、ナット２１により固定されている。また、抜け防止プレート２０には、中央に溶接等により一体に接合されたＬ形プレート１８ａの、折り曲げ加工された垂直部分が可変側溝１０の後壁部１２に当接される。このＬ型プレート１８ａの垂直部分には長穴を設けられ、この長穴にボルト１９ａが通されて、上側のインサート２２ａに対して固定されている。
【００５０】
このように、枠１６は、Ｌ型棒１７に引っ掛けるだけの簡単な構成にて後壁部１２に取り付けられる。また、Ｌ型棒１７及びボルト１９ａは、それぞれインサート２２ｂ及び２２ａに捩じ込まれているだけなので、簡単に取り外すことができ、大きさの異なる枠への付け替え等も、現場にて容易に行うことが可能である。更に、可変側溝１０と枠１６とを分離して搬送できるという利点も有している。
【００５１】
ここで、特に図２を参照して、枠１６は、（１）に示すように、可撓性を有する帯状のシート体が複数枚重ねられた構成となっている。隣合うシート体同士は、長手方向に対して所定間隔毎に接合されると共に、あるシート体に対して、その一方の面に隣接するシート体とその反対面に隣接するシート体とは、接合部２５が同じ位置に重ならないように、長手方向に対して互い違いの位置で接合されている。そして、複数枚のシート体が重ねられた枠１６の最も外側（筒状体の側壁）、すなわち、表と裏に位置する２枚の帯状のシート体を、図中の矢印の方向へ引き離すように水平に広げると、（２）に示す状態となる。すなわち、各シート体は、接合部２５が長手方向に対して互い違いの位置になるように重ね合わされるため、展開すると、全体を１つの筒状体として内部を仕切り壁４９により仕切られた、蜂の巣状の複数のセルが形成される。これら複数のセルは、それぞれが、ほぼ上下方向に延びると共に、両端部が開放され、裏込め材を充填することができる形状になっている。但し、図１では、便宜上、裏込め材を図示せずに可変の側溝構造体と、これに取り付けられる枠のみを示している。
【００５２】
このような構成により、枠１６は、搬送時には（１）のように搬送容易な帯状に折り畳まれ、そして、設置の際に（２）のように展開される。この枠１６は、例えば、柔軟性に富んだ高密度ポリエチレン（ＨＤＰＥ）製板等の軽量な材質で形成されており、人力で容易に取扱うことが可能である。
【００５３】
図３に戻って、枠１６には、所定間隔で隣り合う帯状のシート体と接合するための接合部２５が設けられており、この接合部２５において、各々の帯状のシート体同士が接合具２６により接合されている。この接合具２６は、ステープラー等により簡単に打ち込むことができるので、現場加工も容易に行うことが可能である。但し、この接合具２６による接合部２５は、セル内部に土砂等の裏込め材を中詰めすることができ、また、土中からの枠１６の引き抜きに対して持ち堪えることができる十分な継ぎ目強度を有している。
【００５４】
また、枠１６は、全体を１つの筒状体として捉えたときの、この筒状体の側壁４８と内部の仕切り壁４９に、孔２３が所定間隔をおいて形成されており、更に、これら以外の表面部分には、エンボス加工２４が施されている。このような孔２３が形成されていることにより、裏込め材が充填された際、孔２３の中に裏込め材が入り込んで噛合せが生じるため、枠１６内における裏込め材の安定度が向上する。また、表面には、一面にエンボス加工２４が施されているため、この凹凸と裏込め材との接触抵抗も、裏込め材の枠１６内での安定度に寄与し、両者の一体性が更に向上する。
【００５５】
図５は、図１の可変側溝構造体におけるＶ−Ｖラインの断面図と土圧との関係を示した図である。
【００５６】
図を参照して、背面方向に埋め戻された土等による圧力が後壁部１２に作用し、可変側溝１０は、支点３２を中心として前方へ転倒させる力を受けており、この力の水平方向成分が、基礎コンクリート１４の背面方向の端部から鉛直上方に延びた仮想背面３４に加わる土圧２８ａ、２８ｂとして示されている。この土圧２８ａ、２８ｂは、試行くさび法により算定された滑り面３３に沿った滑り土塊２７ａ、２７ｂが及ぼす土圧の水平方向成分を示したものである。しかし、土中に埋められた枠１６の内部には裏込め材３５が充填されており、この枠１６の各セル内の裏込め材３５は枠１６と一体となり、下向きの自重力を可変側溝１０の後壁部１２に与えている。すなわち、これら自重力２９ａ、２９ｂ、２９ｃは、可変側溝１０の自重力として働く。また、枠１６は、滑り面３３よりも背面方向に突き出しているため、枠１６の上側の抵抗領域３０ａと、下側の抵抗領域３０ｂの範囲では、それぞれ引き抜きに対する抵抗力として、周りから摩擦力３１ａ、３１ｂを受ける。したがって、これら、自重力２９ａ、２９ｂ、２９ｃ及び摩擦力３１ａ、３１ｂが、可変側溝１０を転倒させない力として作用し、自立安定化が図られている。
【００５７】
尚、滑り面３３が傾斜していることにより、摩擦力３１ｂが生じる枠１６の下面は、摩擦力３１ａが生じる枠１６の上面に比べて面積が広くなっている。加えて、摩擦力３１ｂが生じる枠１６の下面の方が、土中の深度が深いため、下面の受ける土圧の方が上面よりも大きくなる。すなわち、枠１６に対して摩擦力３１ａ＜摩擦力３１ｂの関係が成り立っている。よって、これを利用して、深さ方向に異なる寸法を有する枠１６を適宜選択することにより、摩擦力の調節を行うことが可能である。
【００５８】
このように、この発明の実施の形態による側溝構造体は、裏込め材が充填された枠の自重のみを側溝部の後壁部に作用させる構成であり、枠の上に埋め戻される土砂等を支える必要がないため、枠が可撓性を有していても良く、上述のような耐腐食性に優れる高密度ポリエチレン製の部材を選択することが可能となる。
【００５９】
図６は、図１の可変側溝構造体の設置工程図である。
【００６０】
図を参照して、工程（１）において、先ず、可変側溝１０を設置すべき領域が掘削され、地均しされた後に、基礎材１５と基礎コンクリート１４とが形成される。そして、この基礎コンクリート１４の上に、可変側溝１０が据え付けられる。ここで、従来の可変側溝に備えられる底板が基礎材及び基礎コンクリートと共に２点鎖線により仮想的に示されている。図に示すように、従来は、仮想基礎材３９及び仮想基礎コンクリート３８の上に仮想底板３７が形成されていたため、掘削線４０の位置まで掘削を行う必要があった。しかし、この実施の形態に示す可変側溝１０を設置するには、枠１６を配置する高さ以下では、可変側溝１０を据え付けることができる程度に掘削すればよく、掘削線３６のように、枠１６を配置する高さより上方のみが若干多めに掘削される。このように、この実施の形態によれば、従来の施工よりも背面側の掘削量が抑えられる。
【００６１】
次に、工程（２）において、基礎コンクリート１４の前方が完全に埋め戻されると共に、背面方向側は、枠１６を取り付ける位置までの埋め戻しが行われる。
【００６２】
そして、工程（３）にて、枠１６が、可変側溝１０の後壁部１２に取り付けられ、続く工程（４）にて、背面方向に拡げられた枠１６内に裏込め材３５が充填された後、残りの空間が完全に埋め戻される。
【００６３】
このように、この実施の形態によると、底板が背面方向に張り出していないことにより、少ない掘削量で施工することができ、また、現場打ちコンクリート作業を行わず、取り付け容易な枠１６を用いるので、短期間で効率良く可変側溝を設置することが可能となる。更に、枠１６は水平に延びる平坦な形状をしているため、裏込め材等の充填材の転圧に対して作業性が良い。
【００６４】
図７は、この発明の第２の実施の形態による側溝構造体における固定具を示した斜視図である。
【００６５】
図を参照して、この実施の形態で枠１６を固定する固定具（固定手段）は、図１及び図４に示した抜け防止プレート２０の代わりに、両端に曲げ加工が施された曲げプレート４２とワッシャー４３が用いられている点において、第１の実施の形態と異なっている。
【００６６】
この構成も、第１の実施の形態における抜け防止プレート２０と同様に、横に並んだ２本のＬ型棒１７のそれぞれの上端部を、曲げ加工した穴に通し、ワッシャ−４３を介してナット２１ｂにより固定するだけの簡易なものである。したがって、現場にて簡単に枠１６の取り付けが行えると共に、異なる枠への付け替え等も可能である。
【００６７】
図８は、この発明の第３の実施の形態による側溝構造体における固定具を示した斜視図である。
【００６８】
図を参照して、可変側溝１０の後壁部１２側の枠１６の側壁４８は、矩形シート状のプレート４５に引っ掛けられている。そして、このプレート４５は、両端部に形成された長穴４６ａ、４６ｂに、首下５ｃｍ程度ねじ切り加工されていないボルト１９ｃ、１９ｄが挿し込まれて、それぞれ、後壁部１２に埋設されたインサート２２ｃ、２２ｄに固定されている。
【００６９】
このように、この実施の形態においても、第１及び第２の実施の形態と同様に、ボルトやプレートといった簡単な構成の固定具（固定手段）を用いて、枠を可変側溝へ固定するため、現場にて簡単に取り付けを行うことができると共に、異なる枠への付け替えも容易に実施可能である。
【００７０】
尚、上記の各実施の形態では、可撓性を有する枠体を、可変側溝に対して取り付ける例を示したが、これに限らず、他の形状をした水路構造物等のコンクリート側溝に取り付けても良い。
【００７１】
また、上記の各実施の形態では、高密度ポリエチレン製の枠体を例として示したが、可撓性を有し、且つ搬送時にコンパクトに収納できる材質であれば、金属等でも構わない。
【００７２】
更に、上記の各実施の形態では、枠を可変側溝の後壁部に固定する固定具として、Ｌ型棒や、上下端をボルトで固定するプレートを用い、枠及び後壁部の両方に対して着脱可能となる構成の例を示したが、枠及び後壁部の一方が着脱自在となる構成でも良く、また、いずれも着脱自在でない構成であっても良い。
【００７３】
更に、上記の各実施の形態では、背面方向に延びる枠が、滑り面を越えて配置される例を示したが、少なくとも、枠に充填された裏込め材の自重により、転倒力に反する力を得ることができれば、滑り面を越えない状態に配置しても良い。
【００７４】
更に、上記の各実施の形態では、筒状体の内部に仕切り壁を設け、複数のセルからなる蜂の巣状の構造を有する枠を例として示したが、単なる筒状体でも構わない。
【００７５】
更に、上記の各実施の形態では、可撓性を有する帯状の枠を広げて蜂の巣状の構造体を形成したが、最初から蜂の巣状に形成されていても良い。
【００７６】
更に、上記の各実施の形態では、枠の筒状体を形成する側壁及び仕切り壁に孔が形成されている例を示したが、この孔は形成されていなくても良い。
【００７７】
更に、上記の各実施の形態では、枠の筒状体を形成する側壁及び仕切り壁の表面に凹凸加工が施されている例を示したが、この凹凸加工は形成されていなくても良い。
【００７８】
更に、上記の各実施の形態では、枠を１段のみ配置する例を示したが、これに限らず、複数段に枠を積み上げて配置しても良い。
【００７９】
図１３はこの発明の第４の実施の形態による壁面構造体の外観形状を示す正面図であり、図１４は図１３で示したＸＩＶ−ＸＩＶラインの拡大断面図である。
【００８０】
これらの図を参照して、壁面構造体５１はほぼ上下方向に延びる矩形平板形状の壁面体５３ａとこれの背面部に脱着自在に取付けられた枠１６とから構成される。壁面体５３ａは基礎材１５の上に形成された基礎コンクリート１４の上に立設される。このとき、壁面体５３ａの自立状態が不安定になる場合には、基礎コンクリート１４に前もって鉄筋等を前後に露出するように埋め込んでおき、その間に壁面体５３ａを設置すれば良い。
【００８１】
枠１６の構造及び壁面体５３ａへの取り付け構造は基本的には先の各実施の形態によるものと同一であるため、ここでの説明は繰り返さない。
【００８２】
従って、この実施の形態にあっても、背面方向に埋め戻された土等による圧力が壁面体５３ａの背面部に作用し、壁面体５３ａは、支点３２を中心として前方へ転倒させる力を受けている。しかし、土中に埋められた枠１６の内部には裏込め材３５が充填されており、この枠１６の各セル内の裏込め材３５は枠１６と一体となり、下向きの自重力を壁面体５３ａの背面部に与えている。すなわち、これら自重力は、壁面体５３ａの自重力として働く。また、枠１６は、滑り面３３よりも背面方向に突き出しているため、枠１６の上側の抵抗領域と、下側の抵抗領域との範囲では、それぞれ引き抜きに対する抵抗力として、周りから摩擦力を受ける。したがって、これら、自重力及び摩擦力が、壁面体５３ａを転倒させない力として作用し、自立安定化が図られている。
【００８３】
尚、滑り面３３が傾斜していることによる摩擦力の調節についても先の実施の形態と同様の効果を奏する。
【００８４】
このように、この発明の実施の形態による壁面構造体５１は、先の実施の形態と同様に裏込め材が充填された枠１６自重のみを壁面体５３ａの背面部に作用させる構成である。すなわち、枠１６の上に埋め戻される土砂等を支える必要がないため、枠１６が可撓性を有していても良く、耐腐食性に優れる高密度ポリエチレン製の部材を選択することが可能となる。
【００８５】
尚、この実施の形態による壁面構造体５１は、擁壁を構成するために壁面体５３ａと同一構造の壁面体５３ｂを上方に連結している。壁面体５３ｂの背面にも同様に枠１６取付け、これに裏込め材３５を充填することによってより安定した擁壁が形成できる。
【００８６】
又、この実施の形態では、壁面体５３は単なる矩形平板形状をしているが、その下部に水平方向に延びる底面板を接続した形状であっても同様に適用でき、同様の効果を奏する。
【００８７】
図１５はこの発明の第５の実施の形態による壁面構造体の外観構造を示す断面図であって、先の実施の形態による図１４に対応した図である。
【００８８】
図を参照して、壁面構造体５１は、斜め上方に延びる矩形平板形状の傾斜部５４と傾斜部の下端に接続し背面側に延びる底面部５５とからなる壁面体５３ａと、これの背面部に脱着自在に取付けられた枠１６とから構成される。壁面体５３ａは底面部５５が形成されているため基礎材１５の上に形成された基礎コンクリート１４の上に安定した状態に立設される。
【００８９】
枠１６の構造及び壁面体５３への取り付け構造は基本的には先の各実施の形態によるものと同一であるため、ここでの説明は繰り返さない。
【００９０】
従って、この実施の形態にあっても、背面方向に埋め戻された土等による圧力が壁面体５３ａの傾斜部５４に作用し、壁面体５３ａは、支点３２を中心として前方へ転倒させる力を受けている。しかし、土中に埋められた枠１６の内部には裏込め材３５が充填されており、この枠１６の各セル内の裏込め材３５は枠１６と一体となり、下向きの自重力を壁面体５３ａの傾斜部５４に与えている。すなわち、これら自重力は、壁面体５３ａの自重力として働く。また、枠１６は、滑り面３３よりも背面方向に突き出しているため、枠１６の上側の抵抗領域と、下側の抵抗領域との範囲では、それぞれ引き抜きに対する抵抗力として、周りから摩擦力を受ける。したがって、これら、自重力及び摩擦力が、壁面体５３ａを転倒させない力として作用し、自立安定化が図られている。
【００９１】
尚、滑り面３３が傾斜していることによる摩擦力の調節についても先の実施の形態と同様の効果を奏する。
【００９２】
このように、この発明の実施の形態による壁面構造体５１も、先の実施の形態と同様に裏込め材が充填された枠１６の自重のみを壁面体５３ａの背面部に作用させる構成である。すなわち、枠１６の上に埋め戻される土砂等を支える必要がないため、枠１６が可撓性を有していても良く、耐腐食性に優れる高密度ポリエチレン製の部材を選択することが可能となる。
【００９３】
尚、この実施の形態による壁面構造体は、斜め擁壁を構成するために壁面体５３ａと同一構造の壁面体５３ｂを上方に連結している。壁面体５３ｂの背面にも同様に枠１６を取付け、これに裏込め材３５を充填することによってより安定した擁壁が形成できる。
【００９４】
図１６はこの発明の第６の実施の形態による壁面構造体の外観構造を示す断面図であって、先の各実施の形態による図１４又は図１５に対応した図である。
【００９５】
図を参照して、壁面構造体５１ａは、斜め上方に延びる矩形平板形状の傾斜部５４と傾斜部の下端に接続し正面側に延びる底面部５５とからなる壁面体５３ａと、これの背面部に脱着自在に取付けられた枠１６ａとから構成される。壁面体５３ａは底面部５５が形成されているため基礎材１５の上に形成された基礎コンクリート１４の上に安定した状態に立設される。
【００９６】
この実施の形態にあっては、この壁面構造体５１ａを構成する壁面体５３ａとこれに接続する枠１６ａに対して反対対称の壁面構造体５１ｂが、壁面構造体５１ａに対向するように所定間隔をあけて設置されている。壁面構造体５１ｂを構成する壁面体５３ｂも基礎コンクリート１４の上に設置され、壁面体５３ａとの間のスペースには底板コンクリート５７が打設されている。このようにして、この実施の形態にあっては、壁面構造体５１ａ及び壁面構造体５１ｂを対向して設置することによって水路を形成している。
【００９７】
尚、枠１６ａ及び枠１６ｂの構造及び壁面体５３ａ及び壁面体５３ｂへの各々の取り付け構造は基本的には先の各実施の形態によるものと同一であるため、ここでの説明は繰り返さない。
【００９８】
従って、この実施の形態にあっても、背面方向に埋め戻された土等による圧力が壁面体５３ａの傾斜部５４に作用し、壁面体５３ａは、前方へ転倒させる力を受けている。しかし、土中に埋められた枠１６ａの内部には裏込め材３５が充填されており、この枠１６ａの各セル内の裏込め材３５は枠１６ａと一体となり、下向きの自重力を壁面体５３ａの傾斜部５４に与えている。すなわち、これら自重力は、壁面体５３ａの自重力として働く。また、枠１６ａは、滑り面３３よりも背面方向に突き出しているため、枠１６ａの上側の抵抗領域と、下側の抵抗領域との範囲では、それぞれ引き抜きに対する抵抗力として、周りから摩擦力を受ける。したがって、これら、自重力及び摩擦力が、壁面体５３ａを転倒させない力として作用し、自立安定化が図られている。
【００９９】
尚、滑り面３３が傾斜していることによる摩擦力の調節についても先の実施の形態と同様の効果を奏する。
【０１００】
このように、この発明の実施の形態による壁面構造体５１も、先の実施の形態と同様に裏込め材が充填された枠の自重のみを壁面体の背面部に作用させる構成である。すなわち、枠１６の上に埋め戻される土砂等を支える必要がないため、枠１６が可撓性を有していても良く、耐腐食性に優れる高密度ポリエチレン製の部材を選択することが可能となる。
【０１０１】
尚、上記の第４〜第６の実施の形態では、壁面体の形状を特定しているが、例えば第４の実施の形態において底面部が設けられているものや下方に向かってその厚さが増大するように楔断面形状を有するもの等であっても良く、要するにこれらの実施の形態にあっては、壁面体はほぼ上下方向に延びる構造体であれば他の形状であっても良いことを意味する。
【０１０２】
また、上記の第４〜第６の形態では、高密度ポリエチレン製の枠体を例として示したが、可撓性を有し、且つ搬送時にコンパクトに収納できる材質であれば、金属等でも構わない。
【０１０３】
更に、上記の第４〜第６の形態では、枠を壁面体の背面部に固定する固定具として、Ｌ型棒や、上下端をボルトで固定するプレートを用い、枠及び背面部の両方に対して着脱可能となる構成の例を示したが、枠及び背面部の一方が着脱自在となる構成でも良く、また、いずれも着脱自在でない構成であっても良い。
【０１０４】
更に、上記の第４〜第６の形態では、背面方向に延びる枠が、滑り面を越えて配置される例を示したが、少なくとも、枠に充填された裏込め材の自重により、転倒力に反する力を得ることができれば、滑り面を越えない状態に配置しても良い。
【０１０５】
更に、上記の第４〜第６の形態では、筒状体の内部に仕切り壁を設け、複数のセルからなる蜂の巣状の構造を有する枠を例として示したが、単なる筒状体でも構わない。
【０１０６】
更に、上記の第４〜第６の形態では、可撓性を有する帯状の枠を広げて蜂の巣状の構造体を形成したが、最初から蜂の巣状に形成されていても良い。
【０１０７】
更に、上記の第４〜第６の形態では、枠の筒状体を形成する側壁及び仕切り壁に孔が形成されている例を示したが、この孔は形成されていなくても良い。
【０１０８】
更に、上記の第４〜第６の形態では、枠の筒状体を形成する側壁及び仕切り壁の表面に凹凸加工が施されている例を示したが、この凹凸加工は形成されていなくても良い。
【０１０９】
更に、上記の第４〜第６の形態では、枠を１段のみ配置する例を示したが、これに限らず、複数段に枠を積み上げて配置しても良い。
【図面の簡単な説明】
【０１１０】
【図１】この発明の第１の実施の形態による可変側溝構造体を背面側から見た斜視図である。
【図２】図１の可変側溝構造体の枠構造を示した斜視図である。
【図３】図１のＩＩＩ−ＩＩＩラインから見た正面図である。
【図４】図１のＩＶ−ＩＶラインの断面図である。
【図５】図１の可変側溝構造体におけるＶ−Ｖラインの断面図と土圧との関係を示した図である。
【図６】図１の可変側溝構造体の設置工程図である。
【図７】この発明の第２の実施の形態による側溝構造体における固定具を示した斜視図である。
【図８】この発明の第３の実施の形態による側溝構造体における固定具を示した斜視図である。
【図９】従来の可変側溝構造体を示した斜視図である。
【図１０】図９の可変側溝構造体におけるＸ−Ｘラインの断面図と土圧との関係を示した図である。
【図１１】図９の可変側溝構造体の設置工程断面図である。
【図１２】従来の他の可変側溝構造体を示した側面部分断面図である。
【図１３】この発明の第４の実施の形態による壁面構造体の概略形状を示した正面図である。
【図１４】図１３の壁面構造体におけるＸＩＶ−ＸＩＶラインの拡大断面図である。
【図１５】この発明の第５の実施の形態による壁面構造体の概略形状を示した断面図である。
【図１６】この発明の第６の実施の形態による壁面構造体の概略形状を示した断面図である。
【符号の説明】
【０１１１】
１０…可変側溝
１１…前壁部
１２…後壁部
１３…インバートコンクリート
１６…枠
２３…孔
２４…エンボス加工
２５…接合部
２７…滑り土塊
３３…滑り面
３５…裏込め材
５１…壁面構造体
５３…壁面体
尚、各図中同一符号は同一又は相当部分を示す。
【図１】
0004394110.tif 000002
【図２】
0004394110.tif 000003
【図３】
0004394110.tif 000004
【図４】
0004394110.tif 000005
【図５】
0004394110.tif 000006
【図６】
0004394110.tif 000007
【図７】
0004394110.tif 000008
【図８】
0004394110.tif 000009
【図９】
0004394110.tif 000010
【図１０】
0004394110.tif 000011
【図１１】
0004394110.tif 000012
【図１２】
0004394110.tif 000013
【図１３】
0004394110.tif 000014
【図１４】
0004394110.tif 000015
【図１５】
0004394110.tif 000016
【図１６】
0004394110.tif 000017